(57)【要約】【課題】演出性の向上を図ることのできる照明機能付き装飾品を提供する。【解決手段】照明機能付き装飾品は、内外を貫通する多数の貫通孔１３が設けられた不透明な外殻部１０と、外殻部１０の内部に配置された光源１１と、貫通孔１３の各々に挿入された導光棒１２とを備える。貫通孔１３の各々は、外殻部１０の中心部から放射状に延びている。【選択図】図２
0003214884.tif 000002
【実用新案登録請求の範囲】
【請求項１】
内外を貫通する多数の貫通孔が設けられた不透明な外殻部と、
前記外殻部の内部に配置された光源と、
前記貫通孔の各々に挿入された導光棒と、を備え、
前記貫通孔の各々は、前記外殻部の中心部から放射状に延びている、
照明機能付き装飾品。
【請求項２】
前記導光棒の各々の直径は、１〜１０ｍｍである、
請求項１に記載の照明機能付き装飾品。
【考案の詳細な説明】
【技術分野】
【０００１】
本考案は、照明機能付き装飾品に関する。
【背景技術】
【０００２】
この種の照明機能付き装飾品としては、例えば装飾品本体と、装飾品本体に掛け渡されたＬＥＤ（Light Emitting Diode）などの多数の光源とを備えたものがある。
【考案の概要】
【考案が解決しようとする課題】
【０００３】
しかしながら、このような照明機能付き装飾品の場合、光源が点灯あるいは点滅されない非使用時に、多数の光源や、それら光源から延びる電源コードが目に付きやすく、装飾品本体の外観が損なわれるという問題がある。また、そのような外観を有するものであるために各光源が点灯あるいは点滅されるものであると認知されやすい。その結果、装飾品による演出の意外性が低くなり、その点において、尚、改善の余地を残すものとなっている。
【０００４】
本考案の目的は、演出性の向上を図ることのできる照明機能付き装飾品を提供することである。
【課題を解決するための手段】
【０００５】
上記目的を達成するための照明機能付き装飾品は、内外を貫通する多数の貫通孔が設けられた不透明な外殻部と、前記外殻部の内部に配置された光源と、前記貫通孔の各々に挿入された導光棒と、を備え、前記貫通孔の各々は、前記外殻部の中心部から放射状に延びている。
【０００６】
同構成によれば、外殻部に設けられた多数の貫通孔の各々に導光棒が挿入されている。このため、明るい場所であっても光源を点灯あるいは点滅させていないときには、導光棒の端面が視認されにくく、装飾品が照明機能を有するものであると認識されにくい。
【０００７】
また、同構成によれば、外殻部の外表面の広い範囲に多数の導光棒の端面を分散して配置することができる。このため、外殻部の外表面を全体的に光り輝かせることができる。
一方、外殻部の内部に配置された光源を点灯あるいは点滅させると、光源から放射された光が、各導光棒の内側の端面から入射するとともに、外側の端面から外殻部の外部へと放射される。このため、例えば薄暗い場所において光源を点灯あるいは点滅させれば、外殻部の外表面に露出する多数の導光棒の端面が、あたかも夜空の星のように光り輝くこととなる。
【０００８】
したがって、演出性の向上を図ることができる。
また、上記照明機能付き装飾品は、前記導光棒の各々の直径は、１〜１０ｍｍである。
同構成によれば、各導光棒の直径が１〜１０ｍｍと小さいことから、光源を点灯あるいは点滅させていないときには、導光棒の端面が一層視認されにくく、装飾品が照明機能を有するものであると認識されにくい。
【０００９】
一方、光源を点灯あるいは点滅させることにより、各導光棒の端面から微細な光が外部に放射される。このため、外殻部の外表面に露出する多数の導光棒の端面を夜空の星のように光り輝かせる演出性を一層向上させることができる。
【考案の効果】
【００１０】
本考案によれば、演出性の向上を図ることのできる照明機能付き装飾品を提供することができる。
【図面の簡単な説明】
【００１１】
【図１】一実施形態における照明機能付き装飾品を示す斜視図。
【図２】同実施形態の照明機能付き装飾品の断面図。
【図３】変形例における照明機能付き装飾品を示す断面図。
【図４】他の変形例における照明機能付き装飾品を示す斜視図。
【考案を実施するための形態】
【００１２】
以下、図１及び図２を参照して、照明機能付き装飾品（以下、装飾品という）の一実施形態について説明する。
図１に示すように、本実施形態の装飾品は、木材からなる立方体形状の外殻部１０を有している。外殻部１０には、下面の中心から上方へ向けて円柱状にくり抜かれた空洞部１４が設けられている。当該空洞部１４が外殻部１０の内部に相当する。なお、以降において、外殻部１０における空洞部１４を臨む側及び外表面側を内側及び外側と称することがある。
【００１３】
図２に示すように、外殻部１０には、同外殻部１０の内外を貫通する多数の貫通孔１３が設けられている。各貫通孔１３は、外殻部１０の中心部から放射状に配置されている。
各貫通孔１３には、アクリル樹脂からなる丸棒状をなす導光棒１２がそれぞれ挿入されている。各導光棒１２は、それぞれ対応する貫通孔１３の内径よりも僅かに小さく、且つそれぞれ対応する貫通孔１３の長さと等しくなるように設定されている。そのため、導光棒１２に、互いに異なる長さのものもあれば、互いに等しい長さのものも存在する。
【００１４】
導光棒１２の直径としては、１〜１０ｍｍであることが好ましい。なお、各貫通孔１３の内周面と導光棒１２の外周面との間には接着剤が設けられている。
導光棒１２の内側の端面１２ａは、外殻部１０の内側面と面一とされている。導光棒１２の外側の端面１２ｂは、外殻部１０の外側面と面一とされている。
【００１５】
また、空洞部１４には、同空洞部１４の下部の開口１４ａを閉塞する底蓋１５が設けられている。底蓋１５の上面には、光源１１としてコンデンサに接続されたＬＥＤが配置されている。底蓋１５を空洞部１４の下部の開口１４ａへ嵌め込むことにより、光源１１が外殻部１０の内部に収容される。
【００１６】
以上説明した本実施形態に係る照明機能付き装飾品によれば、以下に示す効果が得られるようになる。
（１）装飾品は、内外を貫通する多数の貫通孔１３が設けられた外殻部１０と、外殻部１０の内部に配置された光源１１と、貫通孔１３の各々に挿入された導光棒１２とを備えている。貫通孔１３の各々は、外殻部１０の中心部から放射状に延びている。
【００１７】
こうした構成によれば、外殻部１０に設けられた多数の貫通孔１３の各々に導光棒１２が挿入されている。このため、明るい場所であっても光源１１を点灯あるいは点滅させていないときには、導光棒１２の端面１２ｂが視認されにくく、装飾品が照明機能を有するものであると認識されにくい。
【００１８】
また、こうした構成によれば、外殻部１０の外表面の広い範囲に多数の導光棒１２の端面１２ｂを分散して配置することができる。このため、外殻部１０の外表面を全体的に光り輝かせることができる。
【００１９】
一方、外殻部１０の内部に配置された光源１１を点灯あるいは点滅させると、光源１１から放射された光が、各導光棒１２の内側の端面１２ａから入射するとともに、外側の端面１２ｂから外殻部１０の外部へと放射される。このため、例えば薄暗い場所において光源１１を点灯あるいは点滅させれば、外殻部１０の外表面に露出する多数の導光棒１２の外側の端面１２ｂが、あたかも夜空の星のように光り輝くこととなる。
【００２０】
したがって、演出性の向上を図ることができる。
（２）導光棒１２の各々の直径は、１〜１０ｍｍである。
こうした構成によれば、各導光棒１２の直径が１〜１０ｍｍと小さいことから、光源１１を点灯あるいは点滅させていないときには、導光棒１２の端面１２ｂが一層視認されにくく、装飾品が照明機能を有するものであると認識されにくい。
【００２１】
一方、光源１１を点灯あるいは点滅させることにより、各導光棒１２の端面１２ｂから微細な光が外部に放射される。このため、外殻部１０の外表面に露出する多数の導光棒１２の端面１２ｂを夜空の星のように光り輝かせる演出性を一層向上させることができる。
【００２２】
（３）導光棒１２に、互いに長さの異なるものが存在する。
このため、光源１１から各導光棒１２の内側の端面１２ａまでの距離が同等であっても、各導光棒１２における光の減衰量が互いに異なり、各導光棒１２の端面１２ｂから放射される光の強さが互いに異なることとなる。
【００２３】
したがって、幻想的な雰囲気を演出できる。
＜変形例＞
なお、上記実施形態は、例えば以下のように変更することもできる。
【００２４】
・外殻部は、木材に限定されず、金属や陶器などであってもよい。
・なお、外殻部の形状としては立方体形状に限定されず、多面体状や、図３に示すような球状の外殻部１１０、図４に示すような円錐状の外殻部２１０、あるいは円柱状としてもよい。
【００２５】
・多数の貫通孔に挿入される導光棒は、互いに径が同じものであってもよい。
・図４に示すように、導光棒は、棒状のものであれば丸棒状、すなわち円柱状の導光棒２１２ａに限定されず、三角柱状の導光棒２１２ｂや四角柱状の導光棒２１２ｃなどであってもよい。また、これらの形状の導光棒を組み合わせてもよい。
【００２６】
・光源に必要な電力を、一般の家庭用電源から得てもよく、また、例えばスマートフォンに利用されるモバイルバッテリーやＵＳＢケーブル等を介して得るものであってもよい。
【００２７】
・光源は、外殻部１０の内部に配置されればよく、底部に固定されるものに限らない。例えば、外殻部１０の中央部や上部に固定される構成としてもよい。
【符号の説明】
【００２８】
１０，１１０，２１０…外殻部、１１…光源、１２，１１２，２１２ａ，２１２ｂ，２１２ｃ…導光棒、１２ａ，１２ｂ…端面、１３…貫通孔、１４…空洞部、１４ａ…開口、１５…底蓋。
【図１】
0003214884.tif 000003
【図２】
0003214884.tif 000004
【図３】
0003214884.tif 000005
【図４】
0003214884.tif 000006